(57)【特許請求の範囲】
【請求項１】
インターネットＦＡＸ通信手段とＧ３ファクシミリ通信手段を持つ画像通信装置において、
通信機から送られたＧ３ファクシミリ通信手順に基づいて、複数のインターネットＦＡＸモードのうちの相手機が有するインターネットＦＡＸモードを検出する検出手段と、
前記検出手段による検出に基づいて、前記インターネットＦＡＸ通信手段により通信する制御を行う制御手段とを有することを特徴とする画像通信装置。
【請求項２】
請求項１において、
前記制御手段は、前記Ｇ３ファクシミリ通信手段によるＧ３ファクシミリモードの交信を切断し、前記インターネットＦＡＸ通信手段による通信に移行することを特徴とする画像通信装置。
【請求項３】
請求項１において、
前記検出手段により検出した相手機のインターネットＦＡＸモードを記憶する記憶手段を有し、
インターネットＦＡＸ通信手は、前記記憶手段に記憶した相手機のインターネットＦＡＸモードに従って、画像を送信することを特徴とする画像通信装置。
【請求項４】
請求項１において、
前記Ｇ３ファクシミリ通信手段は、インターネットＦＡＸモードのどのモードへ切換えるか指示する信号を送信することを特徴とする画像通信装置。
【請求項５】
請求項１において、
前記Ｇ３ファクシミリ通信手段は、自機のインターネットアドレスを通知する信号を送信することを特徴とする画像通信装置。
【請求項６】
請求項１において、
前記検出手段により検出した相手機のインターネットＦＡＸモードを記憶する記憶手段と、
Ｅメールを送信する送信手段と、
読み取った画像を画像ファイルに変換する変換手段と、
Ｅメールに画像ファイルを添付する添付手段とを有し、
前記制御手段は、前記Ｇ３ファクシミリ通信手段が受信したＤＩＳ信号に基づく情報を相手機のインターネットＦＡＸのアドレスに対応させて前記記憶手段に記憶し、インターネットＦＡＸ通信手段による画像の送信時に、前記変換手段に、前記記憶手段に記憶された前記情報に従って送信画像を画像ファイルへ変換させることを特徴とする画像通信装置。
【請求項７】
請求項１において、
相手機との通信が最初の通信であることを判別する判別手段を有し、
前記制御手段は、前記判定手段による判別に基づいて、前記Ｇ３ファクシミリ通信手段による画像通信を行い、次回の通信から前記インターネットＦＡＸ通信手段により前記検出手段により検出したインターネットＦＡＸモードでの通信を実行するよう制御することを特徴とする画像通信装置。
【請求項８】
請求項１において、
相手機との通信が最初の通信であることを判別する判別手段を有し、
前記判別手段による判別に応じて、前記インターネットＦＡＸ通信手段による通信、もしくは、前記Ｇ３ファクシミリ通信手段による通信を実行することを特徴とする画像通信装置。
【請求項９】
請求項１において、
前記インターネットＦＡＸ通信手段は、シンプルモード、フルモード、リアルタイムモードでの通信が可能であることを特徴とする画像通信装置。
【請求項１０】
請求項９において、
前記制御手段は、前記相手機の持つインターネットＦＡＸモードの中からあらかじめ決められた優先順位で、前記シンプルモード、フルモード、リアルタイムモードのいずれかを選択し、その選択したモードで前記インターネットＦＡＸ通信手段に通信を行わせることを特徴とする画像通信装置。
【請求項１１】
請求項１において、
通信機から送られたＧ３ファクシミリ通信手順に基づいて、相手機のアドレス情報を識別する識別手段を有し、
前記インターネットＦＡＸ通信手段は、前記識別手段により識別したアドレス情報に基づいて通信することを特徴とする画像通信装置。
【請求項１２】
インターネットＦＡＸモードとＧ３ファクシミリモードを持つ画像通信方法において、
通信機から送られたＧ３ファクシミリ通信手順に基づいて、複数のインターネットＦＡＸモードのうちの相手機が有するインターネットＦＡＸモードを検出し、
該検出したインターネットＦＡＸモードに基づいて、前記インターネットＦＡＸを実行することを特徴とする画像通信方法。
【請求項１３】
インターネットＦＡＸモードとＧ３ファクシミリモードを持つ画像通信装置装置において、
前記Ｇ３ファクシミリモードの通信中に複数のインターネットＦＡＸモードのうちの所有するインターネットＦＡＸモードを相手機へ通知するモード通知手段と、
前記Ｇ３ファクシミリモードの通信中にインターネットＦＡＸアドレスを相手機へ通知するアドレス通知手段とを有することを特徴とする画像通信装置。
【請求項１４】
請求項１３において、
前記モード通知手段によりインターネットＦＡＸモードを相手機へ通知した後、その応答としてインターネットＦＡＸ通信への移行を指示する信号を相手機から受信したことに応じて、前記アドレス通知手段により前記インターネットＦＡＸアドレスを相手機へ通知することを特徴とする画像通信装置。
【請求項１５】
インターネットＦＡＸモードとＧ３ファクシミリモードを持つ画像通信方法において、
前記Ｇ３ファクシミリモードの通信中に複数のインターネットＦＡＸモードのうちの所有するインターネットＦＡＸモードを相手機へ通知し、
前記Ｇ３ファクシミリモードの通信中にインターネットＦＡＸアドレスを相手機へ通知することを特徴とする画像通信方法。
【発明の詳細な説明】
【０００１】
【発明の属する技術分野】
本発明は、Ｇ３ファクシミリ通信及びインターネットＦＡＸ通信が可能な画像通信装置及び画像通信方法に関するものである。
【０００２】
【従来の技術】
従来、電話網でＧ３ファクシミリとして送受信し、またインターネットにＬＡＮ接続して通信費が不要なインターネットＦＡＸモードにより画像の送受信を行なう事が出来た。
【０００３】
インターネットＦＡＸには、ＥメールでＴＩＦＦファイルを送受信するＳｉｍｐｌｅ  Ｍｏｄｅと、Ｓｉｍｐｌｅ  Ｍｏｄｅの機能に加えて送信機と受信機の間で機能の通知を行う能力交換および画像データの到達確認ができるＦｕｌｌ  Ｍｏｄｅと、ＴＣＰパケットでリアルタイムにパケットの送受信を行うＲｅａｌＴｉｍＭｏｄｅがある。
【０００４】
しかし、インターネットＦＡＸのモードはそれぞれのモードに固有の制限がある。
【０００５】
Ｓｉｍｐｌｅ  Ｍｏｄｅは送信できる画像がＡ４サイズ、２００ＤＰＩ、ＭＨに制限される。
【０００６】
Ｆｕｌｌ  Ｍｏｄｅは送信できる画像に制限は無いが、送信する前に相手機の能力を別の手段で取得する必要があり、この時間が余分に必要となる。
【０００７】
Ｒｅａｌ  Ｔｉｍｅ  Ｍｏｄｅは送信できる画像に制限はなく、またＴ３０手順がそのままつかえるので相手機の能力もすぐに知る事は出来る。しかし、ＴＣＰのパケットがインターネットとＬＡＮを接続しているファイアウォールの設定により通らない事が有り、常にどの相手とも交信出来る保証はない。
【０００８】
【発明が解決しようとする課題】
しかしながら前記の従来のシステムでは、Ｇ３ファクシミリモードの交信では相手にどのインターネットＦＡＸのモードがあるか知ることができなかった。
【０００９】
さらに、Ｇ３ファクシミリモーでの交信では、相手にインターネットアドレスがあるか否かを知ることができなかった。
【００１０】
だから、Ｇ３ファクシミリモードから、通信費が不要なインターネットＦＡＸモードの中の最適なモードへ切り替える事が出来ない問題点があった。
【００１１】
本発明の目的は、前記従来技術の課題を解決するものである。
【００１２】
特に、Ｇ３ファクシミリモードで自機にインターネットＦＡＸのモードが在ることを相手に知らせることができる装置を提供することを目的とする。
【００１３】
また、Ｇ３ファクシミリモードで自機のインターネットアドレスを相手に伝えて、Ｇ３ファクシミリモードから、通信費が不要なインターネットＦＡＸモードの中の最適なモードに切り替えることの出来る、Ｇ３ファクシミリ機能およびインターネットＦＡＸ機能を有するインターネットＦＡＸ装置を提供することを目的とする。
【００１４】
【課題を解決するための手段】
本発明の請求項１では、インターネットＦＡＸ通信手段とＧ３ファクシミリ通信手段を持つ画像通信装置において、通信機から送られたＧ３ファクシミリ通信手順に基づいて、複数のインターネットＦＡＸモードのうちの相手機が有するインターネットＦＡＸモードを検出する検出手段と、前記検出手段による検出に基づいて、前記インターネットＦＡＸ通信手段により通信する制御を行う制御手段を備えた。
【００１５】
また、本発明の請求項１２では、インターネットＦＡＸモードとＧ３ファクシミリモードを持つ画像通信方法において、通信機から送られたＧ３ファクシミリ通信手順に基づいて、複数のインターネットＦＡＸモードのうちの相手機が有するインターネットＦＡＸモードを検出し、該検出したインターネットＦＡＸモードに基づいて、前記インターネットＦＡＸを実行する。
【００１６】
また、本発明の請求項１３、１５では、インターネットＦＡＸモードとＧ３ファクシミリモードによる通信が可能な場合に、前記Ｇ３ファクシミリモードの通信中に複数のインターネットＦＡＸモードのうちの所有するインターネットＦＡＸモードを相手機へ通知し、前記Ｇ３ファクシミリモードの通信中にインターネットＦＡＸアドレスを相手機へ通知するようにした。
【００１７】
【発明の実施の形態】
以下、本発明の実施例について、図面を参照しながら説明する。
【００１８】
図１は本発明のインターネットＦＡＸ（ファクシミリ）装置による画像通信の一実施例を示すブロック図である。
【００１９】
図１において、１は画像を送る送信側として動作するインターネットＦＡＸ装置である。２は画像を受け取る受信側として動作するインターネットＦＡＸ装置である。インターネットＦＡＸ装置２の内部構造は送信側のインターネットＦＡＸ装置１と同じなので図示しない。
【００２０】
３はＧ３ファクシミリ通信を行うために使用される電話網である。４はインターネットである。本実施の形態においてインターネット４はＥメールを通信するためのネットワークとして使用される。
【００２１】
５はインターネットＦＡＸ装置１を制御するＣＰＵである。６は原稿を読み込み画像データに変換するスキャナ部である。７は画像データを記録紙に画像として印字するプリンタ部である。
【００２２】
８はＧ３ＦＡＸモードで交信するＦＡＸモデムであり、Ｇ３ＦＡＸの手順信号及び画像信号を変復調する。９はＮＣＵ（ネットワークコントロールユニット）であり、電話網３（電話回線）に接続され回線の発呼、着呼およびアナログ信号のインターフェースを行う。ＮＣＵ９はＣＰＵ５の制御により回線の接続、回線の切断を行う。
【００２３】
１０はインターネットに接続されるＥｔｈｅｒｎｅｔインターフェース（イーサネットインターフェース）であり、デジタル信号をＴＣＰ／ＩＰのパケットとしてやり取りする。
【００２４】
１１はＣＰＵ５が実行するインターネットＦＡＸ１の制御プログラムおよび制御データが格納されているＲＯＭである。１２はＣＰＵ５が制御プログラムを実行する際にアクセスし、ＣＰＵ５によりワークエリアとして使用されるとともに、制御データおよび画像の送信宛先データを格納するＲＡＭである。
【００２５】
１３は送信時にオペレータが送信宛先を指示入力するワンタッチボタンを備えた操作部である。
【００２６】
まず、初めにインターネットＦＡＸが持つ通信モードについて説明する。
【００２７】
本発明の実施の形態では、Ｇ３ＦＡＸモードとインターネットＦＡＸのシンプルモード（Ｓｉｍｐｌｅ  Ｍｏｄｅ）、フルモード（Ｆｕｌｌ  Ｍｏｄｅ）、リアルタイムモード（Ｒｅａｌ  Ｔｉｍｅ  Ｍｏｄｅ）をもつものである。
【００２８】
以下は、Ｇ３ＦＡＸモードについての説明である。Ｇ３ＦＡＸモードとは、図１に表されるインターネットＦＡＸ装置１（以下送信機１と称する）およびインターネットＦＡＸ装置２（以下受信機２と称する）を用いた通信において、画像が電話網３を経由してＧ３ファクシミリモードで送受信されるモードである。
【００２９】
Ｇ３ＦＡＸモードでの通信におけるオペレータの操作と送信機１の動作および受信機２の動作の概略について以下に説明する。
【００３０】
オペレータは、送信機１のスキャナ部６に原稿をセットし、操作部１３のワンタッチボタンを押下する。
【００３１】
それに応じて、ＣＰＵ５は、ワンタッチボタンにより指示された宛先に従い宛先データ（図３）をＲＡＭ１２から読み出す。そして、宛先データに登録された情報に基づき、ＣＰＵ５はＧ３ＦＡＸモードかインターネットＦＡＸモードのいずれのモードで画像データを送信するのかを選択する。
【００３２】
その結果、Ｇ３ＦＡＸモードが選択されると、ワンタッチボタンにより指示された宛先の宛先データに登録された電話番号がＣＰＵ５によりＲＡＭ１２から読み出される。ＣＰＵ５は、ＮＣＵ９にＲＡＭ１２から読み出した電話番号へ発呼させる。そして、電話網３を経由して受信機２が呼び出される。
【００３３】
次に、送信機１のスキャナ部６で原稿画像が読み込まれ、読み込まれた原稿画像は、ＣＰＵ５によりＲＯＭ１１に記憶された制御プログラム（制御ソフト）に従って画像データに変換される。
【００３４】
一方、送信機１から発呼された受信機２は、通常のＧ３ＦＡＸ手順に従い自動受信を開始する。
【００３５】
送信機１と受信機２との間で行われる通信において、まず、ＩＴＵ−ＴのＴ３０の手順に従い初期識別が行われる。その際、手順信号はモデム８で変復調され電話網３を経由して送信機１と受信機２との間で送受信される。
【００３６】
初期識別が終わると、送信機１においてＣＰＵ５により、ＲＯＭ１１に記憶された制御プログラム（制御ソフト）に従って画像データが符号化されて送信され、受信機２では、受信した画像データが復号化されてプリンタに送られ印字される。
【００３７】
送信機１は画像データの送信を終わると手順終了信号（ＥＯＰ信号）を送信する。
【００３８】
これに対して、受信機２から確認信号（ＭＣＦ信号）を受け取ると送信機１は切断命令（ＤＣＮ信号）を送信しＧ３ＦＡＸモードの通信を終了する。
【００３９】
以下は、インターネットＦＡＸのシンプルモード（以下単にシンプルモードと略す）についての説明である。なお、インターネットＦＡＸモード（シンプルモード、フルモード、リアルタイムモード）では、図１の送信機１および受信機２を用いた通信において、画像がインターネット４を経由して送受信される。
【００４０】
そして、シンプルモードでは、ＭＨ符号化方式で符号化されたＡ４サイズ、２００ＤＰＩの画像データによって構成されたＴＩＦＦ（Ｔａｇ  Ｉｍａｇｅ  Ｄａｔａ  Ｆｏｒｍａｔ）形式の画像ファイルをＥメールに添付して送信する。
【００４１】
シンプルモードでの通信におけるオペレータの操作と送信機１の動作および受信機２動作の概略について以下に説明する。
【００４２】
オペレータは、送信機１のスキャナ部６に原稿をセットし、操作部１３のワンタッチボタンを押下する。
【００４３】
それに応じて、ＣＰＵ５は、ワンタッチボタンにより指示された宛先に従い宛先データをＲＡＭ１２から読み出す。そして、宛先データに登録された情報に基づき、ＣＰＵ５はＧ３モードとインターネットＦＡＸモードの３つのモードのうちいずれのモードで画像データを送信するのかを選択する。
【００４４】
その結果、シンプルモードが選択されると、ワンタッチボタンにより指示された宛先の宛先データに登録されたインターネットアドレスがＣＰＵ５によりＲＡＭ１２から読み出される。
【００４５】
次に、送信機１のスキャナ部６で原稿画像が読み込まれ、読み込まれた原稿画像は、ＣＰＵ５によりＲＯＭ１１に記憶された制御プログラム（制御ソフト）に従って画像データに変換される。
【００４６】
そして、その画像データは、ＣＰＵ５によりＲＯＭ１１に記憶された制御プログラム（制御ソフト）に従ってＥメールの添付ファイルに変換される。
【００４７】
画像データを添付ファイルへ変換し終えたら、Ｅメールの宛先としてＲＡＭ１２から読み出したインターネットアドレスをセットして、画像データの添付ファイルが添付されたＥメールを、Ｅメールの送信を行うプロトコルであるＳＭＴＰ（Ｓｉｍｐｌｅ  Ｍａｉｌ  Ｔｒａｎｓｆｅｒ  Ｐｒｏｔｏｃｏｌ）のプロトコルを使用して、Ｅｔｈｅｒｎｅｔを介し、インターネットを経由で受信機２に送信する。
【００４８】
一方、受信機２は通常のＳＭＴＰプロトコルに従いＥメールの受信を行う。
【００４９】
受信機２は、Ｅメールを受信すれば、Ｅメールに添付ファイルが添付されているか否かを検出する。そして、Ｅメールの添付ファイルが検出されると、添付ファイルは画像データか否かを判定する。
【００５０】
判定の結果、添付ファイルが画像データであれば、添付ファイルを画像データに変換し、変換した画像データをプリンタに送って印字する。
【００５１】
以下は、インターネットＦＡＸのフルモード（以下単にフルモードと略す）についての説明である。
【００５２】
フルモードとは、Ａ４サイズ、２００ＤＰＩ、ＭＨ符号化方式以上の画像データをＥメールの添付ファイルにしようでき、その画像データをＴＩＦＦ形式の画像ファイルとして添付したＥメールを送信する。また、受信機がＥメールを処理したことを受信機から送信機に知らせることができる。
【００５３】
フルモードでの通信におけるオペレータの操作と送信機１の動作および受信機２動作の概略について以下に説明する。
【００５４】
オペレータは、送信機１のスキャナ部６に原稿をセットし、操作部１３のワンタッチボタンを押下する。
【００５５】
それに応じて、ＣＰＵ５は、ワンタッチボタンにより指示された宛先に従い宛先データをＲＡＭ１２から読み出す。そして、宛先データに登録された情報に基づき、ＣＰＵ５はＧ３モードとインターネットＦＡＸモードの３つのモードのうちいずれのモードで画像データを送信するのかを選択する。
【００５６】
その結果、フルモードが選択されると、ワンタッチボタンにより指示された宛先の宛先データに登録されたインターネットアドレスがＣＰＵ５によりＲＡＭ１２から読み出される。
【００５７】
次に、送信機１のスキャナ部６で原稿画像が読み込まれ、読み込まれた原稿画像は、ＣＰＵ５によりＲＯＭ１１に記憶された制御プログラムに従って画像データに変換される。
【００５８】
ここで、受信機２の能力は能力交換用のＥメールであらかじめ調べられ、宛先データに格納されているものとする。
【００５９】
そして、その画像データは、ＣＰＵ５によりＲＯＭ１１に記憶された制御プログラムに従ってＥメールの添付ファイルに変換される。
【００６０】
画像データを添付ファイルへ変換し終えたら、Ｅメールの宛先としてＲＡＭ１２から読み出したインターネットアドレスをセットして、画像データの添付ファイルが添付されたＥメールを、Ｅメールの送信を行うプロトコルであるＳＭＴＰ（Ｓｉｍｐｌｅ  Ｍａｉｌ  Ｔｒａｎｓｆｅｒ  Ｐｒｏｔｏｃｏｌ）のプロトコルを使用して、Ｅｔｈｅｒｎｅｔを介し、インターネットを経由で受信機２に送信する。
【００６１】
一方、受信機２は通常のＳＭＴＰプロトコルに従いＥメールの受信を行う。
【００６２】
受信機２は、Ｅメールを受信すれば、Ｅメールに添付ファイルが添付されているか否かを検出する。そして、Ｅメールの添付ファイルが検出されると、添付ファイルは画像データか否かを判定する。
【００６３】
判定の結果、添付ファイルが画像データであれば、添付ファイルを画像データに変換し、変換した画像データをプリンタに送って印字する。
【００６４】
そして、受信機２は画像データが受信され印字されたことをＥメールで送信機に知らせる。
【００６５】
送信機１では、画像データが受信機２により受信され印字されたことを、受信機２からのＥメールで通知されると、後で通信管理レポートが出力できるように、送信が正常終了したことを通信履歴ファイルに格納する。
【００６６】
以下は、インターネットＦＡＸのリアルタイムモード（以下単にリアルタイムモードと略す）についての説明である。
【００６７】
リアルタイムモードとは、ＴＣＰパケットでＴ３０の手順信号のフレームを送受信し、画像データをＴＣＰパケットにして送信する、Ｔ３０の手順に従う方式である。
【００６８】
リアルタイムモードでの通信におけるオペレータの操作と送信機１の動作および受信機２動作の概略について以下に説明する。
【００６９】
オペレータは、送信機１のスキャナ部６に原稿をセットし、操作部１３のワンタッチボタンを押下する。
【００７０】
それに応じて、ＣＰＵ５は、ワンタッチボタンにより指示された宛先に従い宛先データをＲＡＭ１２から読み出す。そして、宛先データに登録された情報に基づき、ＣＰＵ５はＧ３モードとインターネットＦＡＸモードの３つのモードのうちいずれのモードで画像データを送信するのかを選択する。
【００７１】
その結果、リアルタイムモードが選択されると、ワンタッチボタンにより指示された宛先の宛先データに登録されたインターネットアドレスがＣＰＵ５によりＲＡＭ１２から読み出される。
【００７２】
次に、送信機１のスキャナ部６で原稿画像が読み込まれ、読み込まれた原稿画像は、ＣＰＵ５によりＲＯＭ１１に記憶された制御プログラムに従って画像データに変換される。
【００７３】
送信機１は、ワンタッチボタンにより指示された宛先のインターネットアドレスの受信機２に対して、ＴＣＰパケットを使ってリアルタイムモードによる着信を知らせる。
【００７４】
リアルタイムモードの着信を通知された受信機２は、ＤＩＳフレームをＴＣＰパケットで送信する。
【００７５】
このＤＩＳフレームを受信することにより送信機１は、受信機２の能力を調べることができる。
【００７６】
送信機１では、受信したＤＩＳフレームで通知された受信機２の機能に応じてＤＣＳフレームと画像データをＴＣＰパケットで送信する。このとき、画像データは、受信したＤＩＳフレームで通知された受信機２の機能に応じてＣＰＵ５によりＲＯＭ１１に記憶された制御プログラムに従って作成されＴＣＰパケットで送信される。
【００７７】
ＤＣＳフレームおよび画像データをＴＣＰパケットで受信すると、送信機１は、受信したＤＣＳフレームの情報に従い画像をプリント出力する。
【００７８】
そして、画像データの送信後、送信機１からＥＯＰフレームをＴＣＰパケットで送信する。
【００７９】
受信機２はＥＯＰフレームのＴＣＰパケットを受信すると、これに応じてＭＣＦフレームをＴＣＰパケットで送信する。
【００８０】
ＭＣＦフレームを受信した送信機１は、ＤＣＮフレームをＴＣＰパケットで送信しリアルタイムモードの送信を終了する。
【００８１】
受信機２は、ＤＣＮフレームをＴＣＰパケットで受信するとリアルタイムモードの受信を終了する。
【００８２】
以上のようなＧ３ファクシミリモードおよびインターネットＦＡＸのシンプルモード、フルモード、リアルタイムモードを有するが動作するインターネットＦＡＸ装置の動作について、図２から図１１を用いて説明する。図２は、Ｔ３０のＤＩＳ信号のフォーマットを示す図である。図３は、Ｔ３０のＤＣＳ信号のフォーマットを示す図である。図４は、Ｔ３０のインターネットアドレス通知のオプショナル信号を示す図である。図５は、Ｇ３送信手順のフローチャートを示す図である。図６は、宛先データのフォーマットを示す図である。図７は、プロトコルの例を示す図である。図８は、インターネットＦＡＸモード選択のフローチャートを示す図である。図９は、インターネットＦＡＸ装置の送信動作のフローチャートを示す図である。図１０は、インターネットＦＡＸ装置の画像受信動作のフローチャートを示す図である。図１１は、ＴＩＦＦ変換のフローチャートである。送信装置１と受信装置２は、同じ構成の装置なので、受信装置２の説明は、送信装置１のブロック図を用いて説明する。
【００８３】
ここで、本発明の実施の形態において提案するＤＩＳ信号の内容を図２を用いて説明する。
【００８４】
図２にＤＩＳ信号のＦＩＦのフォーマットのインターネットＦＡＸ能力を現すビット（ＢＩＴ）を示す。ＤＩＳのオクテット（ＦＩＦのビットの割り当て）はＩＴＵ−Ｔで割り当てられるが、本発明の実施の形態では、ＤＩＳ信号のＦＩＦにはインターネットＦＡＸ能力を現すビットが割り当てられたと仮定する。そして、ビットＸ、はインターネットＦＡＸのシンプルモード、フルモード、リアルタイムモードの有無を現す。つまり、図２のようにＤＩＳのビットＸ、Ｘ＋１、Ｘ＋２のパターンにより、受信機の持つインターネットＦＡＸのシンプルモード、フルモード、リアルタイムモードの有無が表現される。
【００８５】
図３にＤＣＳ信号のＦＩＦのフォーマットのインターネットＦＡＸ能力を現すビット（ＢＩＴ）を示す。ＤＣＳのオクテット（ＦＩＦのビットの割り当て）はＩＴＵ−Ｔで割り当てられるが、本発明の実施の形態では、ＤＣＳ信号のＦＩＦにはインターネットＦＡＸのシンプルモード、フルモード、リアルタイムモードのいずれかのモードへ通信モードを切換えて通信を行うこと指示するビットが割り当てられているものと仮定する。そして、ビットＸ、はインターネットＦＡＸのシンプルモード、フルモード、リアルタイムモードのどれを使って通信するかという指示を受信機に与えるビットを現す。
【００８６】
また、これらのビットＸ、Ｘ＋１Ｘ＋２はインターネットＦＡＸのシンプルモード、フルモード、リアルタイムモードの有無を示すビットがＩＴＵ−Ｔで正式に勧告化されたときには、その勧告化されたビットに対応するものとする。
【００８７】
図４は、本発明の実施の形態で提案するＴ３０のインターネットアドレス通知用のオプショナル信号を説明した図である。
【００８８】
従来、Ｔ３０の手順において電話番号を通知するためのオプションとしてＣＳＩ、ＣＩＧ、ＴＳＩ信号が使われてきた。本発明の実施例では、今回新たにインターネットアドレスを通知するための信号として、ＣＳＩ、ＣＩＧ、ＴＳＩに対応させてＣＳＥ、ＣＩＥ、ＴＳＥ信号を提案し使用する。このＣＳＥ、ＣＩＥ、ＴＳＥ信号中のＦＩＦにインターネットアドレスが格納されるものとする。
【００８９】
オプショナル信号であるＣＳＥ信号は、電話番号を送信するＣＳＩ信号と同等に、フレームのＦＩＦに受信機のインターネットアドレスが格納されて送信される信号である。ＣＳＥ信号がＴ３０手順で送信されるタイミングはＣＳＩと同等である。
【００９０】
オプショナル信号であるＣＩＥ信号は、電話番号を送信するＣＩＧ信号と同等に、フレームのＦＩＦにポーリング要求機のインターネットアドレスが格納されて送信される信号である。ＣＩＥ信号がＴ３０手順で送信されるタイミングはＣＩＧと同等である。
【００９１】
オプショナル信号のＴＳＥ信号は、電話番号を送信するＴＳＩ信号と同等に、フレームのＦＩＦに送信機のインターネットアドレスが格納されて送信される信号である。ＴＳＥ信号がＴ３０手順で送信されるタイミングはＴＳＩと同等である。
【００９２】
本発明の実施の形態におけるＧ３ＦＡＸモードの信号の送受信の様子を図７を用いて説明する。基本的には公知のＴ３０手順をベースに動作するので、公知のＴ３０手順と本発明の実施の形態の相違点のみ説明する。
【００９３】
初めに、送信機1が電話網を介して受信機２を発呼する。
【００９４】
電話網より着呼した受信機２は、電話網に回線接続し、自機のインターネットＦＡＸの能力に従い、ＤＩＳのＸ、Ｘ＋１、Ｘ＋２ビットをセットして送信する。
【００９５】
送信機１は、受信機２のＤＩＳを受信すると、ＤＩＳのＸ、Ｘ＋１、Ｘ＋２ビットにより受信機２のインターネットＦＡＸモードのシンプルモード、フルモード、リアルタイムモードの有無を判定し、受信機２がインターネットＦＡＸモードのいずれか１つでも持つと判定した場合には、図８に示すインターネットＦＡＸモード選択フローチャート（後で詳しく説明する）に従い通信モードを判定し、インターネットＦＡＸモードのいずれか１つが選択されれば、ＤＣＳ信号のＸ、Ｘ＋１、Ｘ＋２ビットにインターネットＦＡＸモードのどのモードへ切換えるかを示すビットをセットし、オプションフレームＴＳＥに送信機１のインターネットアドレスをセットして送信する。
【００９６】
受信機２はＤＣＳを受信すると、ＤＣＳのＸ、Ｘ＋１、Ｘ＋２ビットによりインターネットＦＡＸモードのいずれかへの移行が指示されているか否かを判定し、移行が指示されている場合には、ＣＦＲを送信し、さらにオプションフレームＣＳＥに自機のインターネットアドレスを格納して送信する。
【００９７】
送信機１は、ＤＣＳ送信後にＣＦＲを受信すると、インターネットＦＡＸモードへ移行するためにＤＣＮを送信し回線切断して電話網による通信を終了する。
【００９８】
受信機２は、ＤＣＮを受信したことに応じて回線切断する。
【００９９】
そして、送信機１はインターネットＦＡＸモードへ移行し、シンプルモードかフルモードであれば、ＴＩＦＦ形式の画像データファイルを添付したＥメールを送信し、リアルタイムモードであれば、Ｔ３０の手順信号と画像データをＴＣＰパケットで送信する。
【０１００】
受信機２は、インターネット経由で受信したＥメールに添付された画像データファイル、または、ＴＣＰパケットで受信した画像データを印字用データに変換して記録紙に記録する。
【０１０１】
図５は、送信機１におけるＧ３ファクシミリモードにおける送信動作の概略を示すフローチャートである。図５は、送信機１の状態遷移図であり、送信時に実際にＣＰＵ５が実行するフローチャートは図９である。図９については、後で説明する。
【０１０２】
図５のステップＳ１では、図８で説明するインターネットＦＡＸモード選択の結果、インターネットＦＡＸモードのいずれかを実行することをが選択されたか、Ｇ３ファクシミリモードを実行することが選択されたのかにより分岐する。
【０１０３】
インターネットＦＡＸモードのいずれかを実行することをが選択された場合は、ステップＳ２でＴＳＥとＤＣＳを送信する。ステップＳ２で送信するＤＣＳは、シンプルモード、フルモード、リアルタイムモードのいずれかに切換えることを指示するものである。
【０１０４】
ステップＳ３でＣＦＲを受信したか否かを監視する。このとき、オプションフレームのＣＳＥを受信すれば、ＣＳＥフレームのインターネットアドレスを宛先テーブルに格納する。
【０１０５】
ステップＳ３でＣＦＲを受信したときは、ステップＳ４で ＤＣＮを送信し、ステップＳ５で回線断する。その後、ステップＳ６でインターネットＦＡＸのモードで送信を開始する。
【０１０６】
ステップＳ１でＧ３ファクシミリモードが選択された場合には、ステップＳ７でインターネットＦＡＸモードへの切換えを指示しないＤＣＳを送信し、ステップＳ８でトレーニング信号を送信する。その後は、通常のＴ３０の手順に従い画像送信を行う。
【０１０７】
次に、本発明の実施の形態のＧ３モードにおける受信動作の概略を説明する。
【０１０８】
基本的には公知のＴ３０手順をベースに動作するので、本発明の実施の形態の特長となる点のみ説明する。
【０１０９】
ＤＩＳ送信時に自機のインターネットＦＡＸの能力に従い、図２のＤＩＳのＸ、Ｘ＋１,Ｘ＋２ビットをセットして送信する。送信機１から送信されたＤＣＳを受信すると、図３のＸ、Ｘ＋１,Ｘ＋２ビットに基づき受信したＤＣＳでインターネットＦＡＸモードへ移行指示がされているかいなかを判定し、移行が指示されている場合にはオプションフレームＣＳＥに自機のインターネットアドレスを格納する。そして、ＣＳＥとＣＦＲを送信し、送信機１からＤＣＮを受信して回線断する。その後ＤＣＳせ指示されたインターネットＦＡＸモードで画像データを受信する。インターネットＦＡＸモードへの移行がＤＣＳにより指示されていない場合にはＣＦＲを送信し、通常のＧ３受信を行う。なお、ＤＣＳとともに受信したオプションフレームのＴＳＥのインターネットアドレスは宛先テーブルに格納される。
【０１１０】
図６に宛先データのフォーマットを示す。この宛先データは、複数のワンタッチダイヤルや短縮ダイヤルのそれぞれに対応して１つずつ設けられており、それら複数の宛先データを持つ宛先テーブルとして図１のＲＡＭ１２に記憶されている。以下、ワンタッチダイヤル番号と短縮ダイヤル番号を総称してワンタッチ番号と略す。
【０１１１】
図６において、ワンタッチ番号毎に、Ｇ３ＦＡＸモード（Ｇ３ＦＡＸ機能）の有無、電話番号、インターネットＦＡＸモード（インターネットＦＡＸ機能）の有無、インターネットＦＡＸモードを持つ場合は、どのモードを持つかという情報、インターネットアドレス、相手先略称がＲＡＭ１２に格納されている。
【０１１２】
本発明の実施の形態のインターネットＦＡＸ装置では、操作部１３でワンタッチボタンが押下されると、対応するワンタッチ番号の宛先データの情報（Ｇ３ＦＡＸ機能の有無、電話番号、インターネットＦＡＸの各モードの機能の有無、インターネットアドレス、相手先略称）がＣＰＵ５によりＲＡＭ１２の宛先テーブルから読み出されるように構成されている。
【０１１３】
図８において、インターネットＦＡＸのモード選択のフローチャートを説明する。
【０１１４】
図８のフローチャートは、ＲＯＭ１１に記憶されたプログラムであり、ＣＰＵ５によって実行される。なお、図８のフローチャートは、図９のＳ２０３から呼び出されるサブルーチンである。
【０１１５】
ステップＳ１０１で受信機のＤＩＳからインターネットＦＡＸのリアルタイムモードがあるか否かを検出し、リアルタイムモードがあれば、Ｓ１１０で、自機ではリアルタイムモードが実行可能か否かを調べ、、実行可能ならステップＳ１１１でＤＣＳのＸビットのリアルタイムモードをセットする。
【０１１６】
ステップＳ１０２で受信機のＤＩＳからインターネットＦＡＸのフルモードがあるか否かを検出し、フルモードがあれば、Ｓ１０８で、自機ではフルモードが実行可能か否かを調べ、、実行可能ならステップＳ１０９でＤＣＳのＸ＋１ビットのフルモードをセットする。
【０１１７】
ステップＳ１０３で受信機のＤＩＳからインターネットＦＡＸのシンプルモードがあるか否かを検出し、シンプルがあれば、Ｓ１０６で、自機ではシンプルモードが実行可能か否かを調べ、、実行可能ならステップＳ１０６でＤＣＳのＸ＋２ビットのシンプルモードをセットする。
【０１１８】
ステップＳ１０７で宛先として指示されたたワンタッチ番号に対応した宛先データのインターネットＦＡＸモードに記憶されたモードをセットする。
【０１１９】
ステップＳ１０４でＤＩＳのＸ、Ｘ＋１、Ｘ＋２のすべてが０の場合にはインターネットＦＡＸ機能なしをＤＣＳにセットする。
【０１２０】
図９において、インターネットＦＡＸ装置の送信側の画像送信動作のフローを説明する。図９のフローチャートは、ＲＯＭ１１に記憶されたプログラムであり、ＣＰＵ５によって実行される。
【０１２１】
オペレータにより原稿がセットされ操作部１３のワンタッチダイヤルボタンが押下されると、そのボタンに対応するワンタッチ番号の情報（Ｇ３ＦＡＸ機能の有無、電話番号、インターネットＦＡＸの各モードの機能の有無、インターネットアドレス、相手先略称）が読み出される。ここでは、ワンタッチボタン０１が操作部で押下されたとする。
【０１２２】
図６に示される宛先０１が調べられ、インターネットＦＡＸの能力が無いと判定された宛先０１に対して、電話網に発呼してＧ３モードでの送信が開始される。
【０１２３】
発呼後、ステップＳ２０１で受信機２からＤＩＳを受信すると、ステップＳ２０２で自機のインターネットＦＡＸ機能が調べられ、自機でインターネットＦＡＸモードによる通信が可能とセットされているか否かを判定する。
【０１２４】
自機でインターネットＦＡＸモードによる通信が可能とセットされていると、ステップＳ２０３で、図８のインターネットＦＡＸモード選択の処理が呼び出され、受信したＤＩＳのインターネットＦＡＸモードの有無が調べられる。
【０１２５】
ステップＳ２０４で受信機２がインターネットＦＡＸモードをもつと判定されれば、ステップＳ２０５に進む。
【０１２６】
ステップＳ２０２で自機でインターネットＦＡＸモードによる通信が可能とセットされていないと判定された場合および受信機２がインターネットＦＡＸモードを持たないと判定された場合は、ステップＳ２１６に進んで、通常のＴ３０の手順で画像データを送信する。
【０１２７】
ステップＳ２０５でＴＳＥフレームに自機のインターネットアドレスをセットする。
【０１２８】
ステップＳ２０６でＴＳＥ、ＤＣＳを送信し、送信後にステップＳ２０７でＣＦＲを受信したか否かを検出する。
【０１２９】
ステップＳ２０７でＣＦＲ信号を受信すると、ＣＦＲ信号とともにＣＳＥ信号を受信したか否かを判定し、ＣＳＥ信号を受信していれば、ステップＳ２０９でＣＳＥフレームのＦＩＦ中のインターネットアドレスをワークエリアに格納するとともに宛先テーブルの対応するワンタッチ番号のインターネットアドレスにセットする。
【０１３０】
ステップＳ２１０でＤＣＮを送信し、その後ステップＳ２１１で回線断する。
【０１３１】
ステップＳ２１２で、Ｓ２０６の処理においてシンプルモードへ移行することを指示したＤＣＳを送信したならばインターネットＦＡＸのシンプルモードの送信処理に移行する。
【０１３２】
ステップＳ２１３で、Ｓ２０６の処理においてフルモードへ移行することを指示したＤＣＳを送信したならばインターネットＦＡＸのフルモードの送信処理に移行する。
【０１３３】
ステップＳ２１４で、Ｓ２０６の処理においてフルモードへ移行することを指示したＤＣＳを送信したならばインターネットＦＡＸのリアルタイムモードの送信処理に移行する。
【０１３４】
ステップＳ２１９からＳ２２４では、シンプルモードに移行したときの処理を説明する。
【０１３５】
ステップＳ２１９でインターネットＦＡＸのシンプルの送信処理を開始する。
【０１３６】
ステップＳ２２０で、ステップＳ２０９の処理によりワークエリアに格納されたインターネットアドレスをＥメールの宛先にセットする。
【０１３７】
ステップＳ２２１で画像ファイルをＴＩＦＦに変換する。この際、送信する画像はシンプルモードの規格に合うようにＡ４サイズ、２００ＤＰＩ、ＭＨ符号化方式のフォーマットに変換される。
【０１３８】
ステップＳ２２２でＴＩＦＦの画像ファイルをＥメールに添付し、ステップＳ２２３でＳＭＴＰに従い送信する。そして、ステップＳ２２４で待機状態に戻る。
【０１３９】
ステップＳ２１７のフルモードは、ステップＳ２１９のシンプルモードと似た処理を行う。フルモードとシンプルモードの違いは、画像データをＴＩＦＦのファイルに変換するときに、Ａ４サイズ、２００ＤＰＩ、ＭＨ符号化方式以上の機能を選択できる事である。
【０１４０】
フルモードのＴＩＦＦ変換のフローチャートを図１１に示した。詳細は、後で説明する。
【０１４１】
ステップＳ２１８のリアルタイムモードは、ＴＣＰパケットでＴ３０の手順信号と画像データをＴＣＰパケットにして送信する、Ｔ３０の手順に従う方式であり、先に説明した通りなのでここでは、説明しない。
【０１４２】
図１０において、インターネットＦＡＸ装置の受信側のフローを説明する。図１０のフローは、ＲＯＭ１１に記憶されＣＰＵ５によりインターネットＦＡＸ装置が受信側として動作するときに実行されるプログラムである。
【０１４３】
電話網から呼び出しがあるとＮＣＵ９が着呼し、Ｇ３ＦＡＸモードの自動受信手順を開始する。
【０１４４】
ステップＳ３０１で自機のインターネットＦＡＸモードが使用可と設定されているか使用不可と設定されているかに応じて、インターネットＦＡＸモードが使用可であれば、ステップＳ３０２に進み、インターネットＦＡＸモードが使用不可であれば、ステップＳ３２２に進み通常のＴ３０の手順に復帰する。
【０１４５】
ステップＳ３０２で自機のインターネットＦＡＸ機能の設定に応じてＤＩＳのＸ、Ｘ＋１、Ｘ＋２ビットをセットする。そして、ステップＳ３０３でＤＩＳを送信する。
【０１４６】
ステップＳ３０４でＤＣＳ信号を受信すると、ステップＳ３０５でＤＣＳ信号のＸ、Ｘ＋１、Ｘ＋２ビットが全て０であるか否かを判定し、ＤＣＳ信号のＸビットが０である場合にはＳ３２２に進んで通常のＴ３０手順に復帰する。
【０１４７】
ステップＳ３０６でＴＳＥを受信したか否かを検出し、Ｓ３０７でＴＳＩを受信したか否かを検出する。ＴＳＥを受信し、かつ、ＴＳＩも受信していれば、ステップＳ３０８に進み、それ以外の場合は、ステップＳ３０９へ進む。
【０１４８】
ステップＳ３０８ではＴＳＥのインターネットアドレスをＴＳＩの電話番号に対応した宛先データのインターネットアドレスに格納する。
【０１４９】
ステップＳ３０９でＣＳＥ信号に自機のインターネットアドレスを格納する。ステップＳ３１０でＣＳＥ／ＣＦＲを送信し、ステップＳ３１１でＤＣＮの受信を検出する。ＤＣＮを受信しない場合には、ステップＳ３０４にもどる。
【０１５０】
ステップＳ３１１でＤＣＮを受信したら、ステップＳ３１２でＮＣＵ９に回線切断させる。そして、ステップＳ３１３の待機状態にもどる。
【０１５１】
ステップＳ３１３で待機状態に戻ると、送信機からインターネットＦＡＸモードで画像データが送信されてくるので、ステップＳ３１５でインターネットＦＡＸモードの受信が開始される。ここでは、シンプルモードで画像データが送信されてきたとしてステップＳ３１４からＳ３２１までを説明する。
【０１５２】
ステップＳ３１５でＳＭＴＰでＥメールの受信が行われる。
【０１５３】
ステップＳ３１６でＥメールの添付ファイルの有無をチェックし、ステップＳ３１７で添付ファイルがＴＩＦＦファイルであるか否かをチェックする。
【０１５４】
ステップＳ３１６とＳ３１７において、添付ファイルが有り、かつ、ＴＩＦＦファイルであることが検出されれば、ステップＳ３１８へ進み、それ以外であれば、ステップＳ３２０に進む。
【０１５５】
ステップＳ３１８でＴＩＦＦファイルを画像データに変換し、ステップＳ３１９で画像データをプリンタで出力する。
【０１５６】
ステップＳ３２０でＥメール受信ＬＯＧを作成して、Ｓ３２１で待機状態に復帰する。
【０１５７】
なお、ステップＳ３１４でシンプルモードの受信が開始されたとして説明したが、フルモードが開始された場合でもステップＳ３１４からＳ３２１と同じフローを実行する。ただし、Ｓ３１８のＴＩＦＦファイルが、フルモードでは、サイズ（Ａ４サイズ、Ｂ４サイズ）、画素密度（２００ＤＰＩ、４００ＤＰＩ）、符号化方式（ＭＨ、ＭＲ、ＭＭＲ、ＪＢＩＧ）がシンプルモード（Ａ４サイズ、２００ＤＰＩ、ＭＨ）以上となる。
【０１５８】
また、ステップＳ３１４でリアルタイムモードで受信開始されれば、Ｔ３０の手順信号をＴＣＰパケットで送受信し、画像データをＴＣＰパケットで受信する。
【０１５９】
図１１においてＴＩＦＦの変換のフローを説明する。図１１のフローは、ＲＯＭ１１に記憶されＣＰＵ５により実行されるプログラムである。
【０１６０】
ステップＳ４０１で送信する画像の解像度を調べる、４００ＤＰＩならステップＳ４０２に進み、２００ＤＰＩならステップＳ４０４に進む。
【０１６１】
ステップＳ２０２でシンプルモードで送信するのかフルモードで送信するのかが判定される。フルモードであればステップＳ４０４に進み、シンプルモードである場合にはステップＳ４０３で解像度変換が行われ２００ＤＰＩに変換される。
【０１６２】
ステップＳ４０４で送信する画像のサイズを調べ、Ｂ４ならステップＳ４０５へ進み、Ａ４なら、ステップＳ４０７に進む。
【０１６３】
ステップＳ４０５でシンプルモードで送信するのかフルモードで送信するのかが判定される。フルモードであればステップＳ４０７に進み、シンプルモードである場合にはステップＳ４０６でサイズ変換を行いＡ４サイズに変換する。
【０１６４】
ステップＳ２０７でシンプルモードで送信するのかフルモードで送信するのかが判定される。フルモードであれば、条件に応じて、ＪＢＩＧ、ＭＭＲ、ＭＲ、ＭＨのいずれかの方式に符号化される。
【０１６５】
ステップＳ４０７でシンプルモードであると判定されると、ステップＳ４１１でＭＨ符号化を行う。
【０１６６】
Ｓ４０８からＳ４１１で符号化した画像データをステップＳ４１２でＴＩＦＦ形式のファイルに変換する。
【０１６７】
以上のようにして、本発明の実施の形態では、受信機のインターネットＦＡＸの機能をＤＩＳ信号で送信機へ通知し、受信機のインターネットアドレスをオプショナル信号のＣＳＥで送信する。一方、送信機では、ＤＣＳでインターネットＦＡＸモードによる通信を指示し、Ｇ３ＦＡＸモードを中断する。そして、インターネットＦＡＸモードで通信を実行するので、受信機の機能に合うインターネットＦＡＸモードのリアルタイムモード、フルモード、シンプルモードのいずれかのモードを使用して画像データをインターネット経由で送信することができる。
【０１６８】
（他の発明の実施の形態）
上記発明の実施の形態ではＴ３０手順を中断してインターネットＦＡＸモードに切り替えることを示した。しかし、ある相手先との1回目の通信は、Ｇ３ＦＡＸモードで画像データも送信し、1回目の交信後に次回そのワンタッチ番号を使用した送信から直接インターネットＦＡＸモードを選択して送信することも可能である。
【０１６９】
１回目の通信であるか否かという判定は、図６のワンタッチ番号０１のように、インターネットＦＡＸ機能なしとなっているものを、その宛先とのインターネットＦＡＸモードでの1回目の通信であると判定する。その外にも、インターネットＦＡＸアドレスが記憶されていないものをその宛先とのインターネットＦＡＸモードでの1回目の通信であると判定してもよい。また、インターネットＦＡＸ機能がなしとなっているか、インターネットＦＡＸアドレスが記憶されていない場合のいずれか１つでも条件が合う場合は、その宛先とのインターネットＦＡＸモードでの1回目の通信であると判定してもよい。
【０１７０】
ある相手先との１回目の通信である場合は、上記発明の実施の形態の図８の判定によりＧ３ファクシミリ送信モードが選択される。
【０１７１】
そして、発明の実施の形態の説明と異なる点は、１回目の通信である場合、図９のフローが異なる点である。以下、発明の実施の形態と異なる点のみ説明し、同じ点の説明は省略する。
【０１７２】
図９のステップＳ２０８のＮＯまたは、ステップＳ２０９の実行後、通常のＴ３０の画像データの送信を行う（トレーニング／ＴＣＦ信号を送信し、受信機２からＣＦＲ信号を受信すれば画像データを送信する）。その通信の全てのページの画像データの送信後、通常のＴ３０のＥＯＭ信号を送信し、その後、ステップＳ２１０へ進み、ＤＣＮを送信する。そして、その宛先との1回目の通信を終了する。
【０１７３】
その宛先との２回目以降の通信では、ワンタッチ宛先テーブルのその宛先の宛先データが読み出され、その後、図８のインターネットＦＡＸモード選択において、宛先データのインターネットＦＡＸ機能の情報に従ってインターネットＦＡＸモードのいずれか１つが選択される。そして、その後は、図９のステップＳ２１９からステップＳ２２４の処理によりインターネット経由で画像データが送信される。
【０１７４】
また、メモリ送信時にメモリの画像を上記発明の実施の形態と同様にインターネットＦＡＸモードで送信することも可能である。
【０１７５】
また、ワンタッチ以外のテンキーダイヤルを使用して発呼するときでも、Ｇ３ＦＡＸモードで受信した受信機のＦＡＸ機能をテンキーダイヤルで発呼した電話番号とともにＲＡＭ１２のワークエリアに格納することにより、上記発明の実施の形態と同様にインターネットＦＡＸモードで画像データを送信することも可能である。
【０１７６】
上記説明によれば、複数のインターネットＦＡＸモードとＧ３ファクシミリモードを持つ画像通信装置、または、画像通信方法において、Ｇ３ファクシミリモードによる交信中に相手機の持つインターネットＦＡＸモードを検出し、相手機のインターネットＦＡＸモードを検出したことに基づいて、Ｇ３ファクシミリモードの交信を切断し、インターネットＦＡＸモードによる通信に移行するので、Ｇ３ファクシミリモードの通信において、相手機のインターネットＦＡＸモードが判明した後に通信費のかからないインターネットＦＡＸモードへ移行するので、通信コストを下げるとともに、相手機のインターネットＦＡＸモードに合う最適なモードで画像データを送信することができる。
【０１７７】
また、複数のインターネットＦＡＸモードとＧ３ファクシミリモードを持つ画像通信装置、または、画像通信方法において、Ｇ３ファクシミリモードによる交信中に相手機の持つインターネットＦＡＸモードを検出し、検出した相手機のインターネットＦＡＸモードに従って、インターネットＦＡＸモードで画像を送信するので、相手機が持つインターネットＦＡＸモードがわからなくても、Ｇ３ファクシミリモードにより相手機が持つインターネットＦＡＸモードを検出することができ、相手機のインターネットＦＡＸモードに合わせて最適なモードで画像データを送信できる。
【０１７８】
また、検出された前記相手機が持つインターネットＦＡＸモードを記憶し、記憶したインターネットＦＡＸモードに従って、インターネットＦＡＸモードで画像データ送信するので、相手機の機能が記憶されている場合は、Ｇ３ファクシミリモードで通信を行わずに始めからインターネットＦＡＸモードで相手機の持つインターネットＦＡＸモードに合わせた最適なモードで画像データを送信でき、相手機が持つインターネットＦＡＸモードを検出するＧ３ファクシミリモードの通信を省略した分、早く画像データを送信開始できるとともに通信費が安くなる。
【０１７９】
また、複数のインターネットＦＡＸモードとＧ３ファクシミリモードを持つ画像通信装置、または、画像通信方法において、Ｇ３ファクシミリモードの通信中に自機が持つインターネットＦＡＸモードと、インターネットＦＡＸアドレスを相手機へ通知するので、相手機において自機が持つインターネットＦＡＸモードと自機のインターネットアドレスがわからなくても、相手機との間でＧ３ファクシミリモードで通信すれば、自機が持つインターネットＦＡＸモードと自機のインターネットアドレスを相手機に通知することができ、相手からインターネット経由で画像データを受信できる。
【発明の効果】
以上のように本発明によれば、所有するインターネットＦＡＸモードをＧ３ファクシミリ通信手順により通知でき、更に、相手機が有するインターネットＦＡＸモードに合わせて最適なモードで画像データを送信することができる。
【図面の簡単な説明】
【図１】本願の発明の実施の形態のインターネットＦＡＸを表すブロック図である。
【図２】Ｔ３０のＤＩＳ信号のフォーマットである。
【図３】Ｔ３０のＤＣＳ信号のフォーマットである。
【図４】Ｔ３０のインターネットアドレス通知用のオプショナル信号を示す図である。
【図５】Ｇ３の送信手順を示す図である。
【図６】宛先データのフォーマットを示す図である。
【図７】本発明の実施の形態のプロトコルの例である。
【図８】インターネットＦＡＸモード選択のフローチャートである。
【図９】インターネットＦＡＸ送信のフローチャートである。
【図１０】インターネットＦＡＸ受信のフローチャートである。
【図１１】ＴＩＦＦ変換のフローチャートである。
【符号の説明】
１  送信側のインターネットＦＡＸ装置
２  受信側のインターネットＦＡＸ装置
３  電話網
４  インターネット
５  ＣＰＵ
６  スキャナ部
７  プリンタ部
８  ＦＡＸモデム
９  ＮＣＵ（ネットワークコントロールユニット）
１０  Ｅｔｈｅｒｎｅｔインターフェース（イーサネットインターフェース）
１１  ＲＯＭ
１２  ＲＡＭ
１３  操作部
【図１】
0003740276.tif 000002
【図２】
0003740276.tif 000003
【図３】
0003740276.tif 000004
【図４】
0003740276.tif 000005
【図５】
0003740276.tif 000006
【図６】
0003740276.tif 000007
【図７】
0003740276.tif 000008
【図８】
0003740276.tif 000009
【図９】
0003740276.tif 000010
【図１０】
0003740276.tif 000011
【図１１】
0003740276.tif 000012